(57)【要約】【課題】防火設備の連窓の連結部における防火性能を確保すると共に、施工のしやすい連結材を提供する。【解決手段】  躯体開口部に固定され側方に窓枠を支持する支持鋼材と、支持鋼材の室外側に支持されるロックウール部を有し、ロックウール部は、支持鋼材の側方に支持される窓枠の見込幅内に略収まるようにする。【選択図】  図３
2020045640.tif 000002
【特許請求の範囲】
【請求項１】
躯体開口部に固定され側方に窓枠を支持する支持鋼材と、支持鋼材の室外側に支持されるロックウール部を有し、
ロックウール部は、支持鋼材の側方に支持される窓枠の見込幅内に略収まる
防火設備の連結材。
【発明の詳細な説明】
【技術分野】
【０００１】
本発明は、防火サッシ等の防火設備を見付方向に連結する連結材に関する。
【背景技術】
【０００２】
従来、左右に配置された建具を連結材で連結した連窓が知られている。
【先行技術文献】
【特許文献】
【０００３】
【特許文献１】特開２０１１−９９２０５号公報
【発明の概要】
【発明が解決しようとする課題】
【０００４】
近年、窓設備として防火性能の高い防火建具（防火設備）を採用することが求められており、連窓においても、左右に配置される建具として防火建具が採用されている。
そして、左右の防火建具を連結する連結材についても防火性能が求められている。
【０００５】
上記特許文献１の連結材は、高い防火性能を備えるものではなかった。そして、連結材に対して防火性能を付与するために、連結材にロックウール等の防火材を設けることも考えられるが、防火材の上下の仕舞いが複雑で、施工が煩雑にならざるを得なかった。
【０００６】
本発明は、上記の事情を鑑みてなされたものであり、見付方向に連設される防火設備を連結するに際して、連結部における防火性能を確保すると共に、施工のしやすい連結材を提供することを目的とする。
【課題を解決するための手段】
【０００７】
本発明の一実施形態は、躯体開口部に固定され側方に窓枠を支持する支持鋼材と、支持鋼材の室外側に支持されるロックウール部を有し、ロックウール部は、支持鋼材の側方に支持される窓枠の見込幅内に略収まるようにする連結材である。
【発明の効果】
【０００８】
本発明の一実施形態の連結材の構成により、防火設備の連窓の連結部における防火性能を確保すると共に、施工のしやすい連結材を提供することができる。
【図面の簡単な説明】
【０００９】
【図１】本発明の一実施形態の連結材が配置された建具の図であり、（ａ）は横断面図であり、（ｂ）は（ａ）で矢印ａからみた正面図、（ｃ）は（ａ）で矢印ｂからみた側面図である。
【図２】本発明の第１の実施形態に係る連窓の竪断面図である。
【図３】（ａ）は、本発明の第１の実施形態に係る連結材の横断面図であり、（ｂ）は、ロックウールを省いた連結材の横断面図である。
【図４】（ａ）は、本発明の第２の実施形態に係る連結材の横断面図であり、（ｂ）は、ロックウールを省いた連結材の横断面図である。
【図５】（ａ）は、本発明の第３の実施形態に係る連結材の横断面図であり、（ｂ）は、ロックウールを省いた連結材の横断面図である。
【図６】（ａ）は、本発明の第４の実施形態に係る連結材の横断面図であり、（ｂ）は、ロックウールを省いた連結材の横断面図である。
【図７】（ａ）は、本発明の第５の実施形態に係る連結材の横断面図であり、（ｂ）は、ロックウールを省いた連結材の横断面図である。
【発明を実施するための形態】
【００１０】
本発明の実施形態の防火設備の連結材について、図面を参考にして、説明する。
なお、本実施形態の説明では、図１に示すような、ビル等の建物に設置される連窓を用いて説明するが、本発明の防火設備の連結材は、ビル等の建物に設置される連窓に採用される連結材に限定されない。
【００１１】
（全体の構成）
図１に示す連窓は、複数（４個）の防火サッシ等の防火設備Ａ１ないし防火設備Ａ４が、鈎状に配置されてなり、防火設備Ａ１と防火設備Ａ２が連結材Ｂ１で連結され、防火設備Ａ２と防火設備Ａ３が連結材Ｂ２で連結され、防火設備Ａ３と防火設備Ａ４が連結材Ｂ３で連結されている。
【００１２】
図１に示す本実施形態では、防火設備Ａ１ないし防火設備Ａ４は、引違い窓が採用されており、図２（ｂ）に示すように、防火設備Ａ１ないし防火設備Ａ４の室内側には内装材９１が配置されており、室外側の下方には水切り９２が配置されている。
【００１３】
−第１の実施形態−
図２及び図３を用いて、第１の実施形態の連結材を説明する。
本実施形態の連結材は、左右の防火設備Ａ１及び防火設備Ａ２を面一に連結する連結材Ｂ１として構成されている。
【００１４】
図３（ａ），（ｂ）に示すように、連結材Ｂ１は、躯体開口部に固定され、左右に配置される防火設備Ａ１，Ａ２の窓枠Ａ１０，Ａ２０を支持する支持鋼材１０と、支持鋼材１０の室外側に設けられるロックウール部２０２を有する防火部材２０と、連結される窓枠Ａ１０，Ａ２０間を室内側から覆う室内側カバー部材３０と、連結される窓枠Ａ１０，Ａ２０間を室外側から覆う室外側カバー部材（化粧材）４０と、を備えている。
【００１５】
支持鋼材１０は、断面矩形状の長尺部材であり、矩形を形成する各辺を窓枠Ａ１０，Ａ２０の見付方向もしくは見込み方向と一致させた状態で躯体開口部に配置され、上端及び下端を躯体開口部に埋設されたアンカー部材５に溶接等することで躯体開口部に固定されている。
【００１６】
支持鋼材１０は、図３（ｂ）に示すように、左右両見込面に窓枠取付片１０１，１０１が固定され、室外側見付面に防火部材取付片１０２が固定され、室内側見付面に内カバー取付片１０３が固定されている。
【００１７】
窓枠取付片１０１は、取付壁１０１ａと、取付壁１０１ａの室外側端から内周側（連結材からみると、外周側）に屈曲してなる支持壁１０１ｂを有する断面略Ｌ字状の長尺部材であり、取付壁１０１ａを支持鋼材１０の左右見込面に当接した状態で固定されている。
【００１８】
支持鋼材１０に支持される窓枠Ａ１０，Ａ２０は、支持鋼材１０に対向する見込壁６０ａを有する取付補助材６０がビス等の固定手段ｂによって外周側面に固定されている。
そして、支持鋼材１０は、窓枠取付片１０１の支持壁１０１ｂと、取付補助材６０の見込壁をアングル部材７０によって連結することで、窓枠Ａ１０を支持している。
【００１９】
支持鋼材１０に支持された窓枠Ａ１０，Ａ２０の室内側に、内カバー取付材１０３がビス等の固定手段により固定されている。
内カバー取付片１０３は、見付壁１０３ａと、見付壁１０３ａの左右両端が室内側に屈曲してなる左右の見込壁１０３ｂ，１０３ｂを有する断面略Ｕ字状の長尺部材であり、見付壁１０３ａの室外側面が支持鋼材１０の室内側見付面に当接した状態で固定されている。
なお、内カバー取付材１０３は、支持鋼材１０にネジ止め等の手段で固定されていてもよい。
【００２０】
室内側カバー部材３０は、室内壁部３０ａと、室内壁部３０ａの左右両側が室外側に屈曲してなる左右の見込壁３０ｂ，３０ｂを有する断面略Ｕ字状の長尺部材である。
そして、支持鋼材１０は、内カバー取付片１０３の左右の見込壁１０３ｂ，１０３ｂに室内側カバー部材３０の左右の見込壁３０ｂ，３０ｂをビス等の固定手段ｂにより固定することで、室内側カバー部材３０を支持している。
【００２１】
防火部材取付片１０２は、取付壁１０２ａと、取付壁１０２ａの左右両側が室外側に屈曲してなる左右の支持壁１０２ｂ，１０２ｂを有する断面略Ｕ字状の長尺部材であり、取付壁１０２ａの室内側面が支持鋼材１０の室外側見付面に当接した状態で固定されている。
【００２２】
防火部材２０は、裏打ちパネル２０１と、ロックウール部２０２を有している。
裏打ちパネル２０１は、室外側壁２０１ａと、室外側壁２０１ａの左右両側が室内側に屈曲してなる左右の見込壁２０１ｂ，２０１ｂを有する断面略Ｕ字状の長尺部材からなり、裏打ちパネル２０１の内周にロックウールを充填することなどによってロックウール部２０２が設けられている。
【００２３】
室外側カバー部材（化粧材）４０は、建物の外壁面を形成する外壁面部４０ａと、外壁面部４０ａの室内側面から室内側に延設される左右の見込壁４０ｃ，４０ｃと、見込壁４０ｃ，４０ｃよりも内周側（連結材から見ると外周側）の位置において外壁面部４０ａの室内側面から室内側に延設された左右のリブ４０ｄ，４０ｄを有する長尺部材からなる。
【００２４】
そして、支持鋼材１０は、防火部材取付片１０２の左右の支持壁１０２ｂ，１０２ｂに、裏打ちパネル２０１の左右の見込壁２０１ｂ，２０１ｂ及び室外側カバー部材４０の左右の見込壁４０ｃ，４０ｃをビス等の固定手段ｂにより固定することで、支持鋼材１０の室外側に防火部材２０及び室外側カバー部材４０を支持している。
【００２５】
左右に窓枠Ａ１０，Ａ２０を支持した支持鋼材１０に、防火部材２０が支持された状態では、防火部材２０のロックウール部２０２は、左右の窓枠Ａ１０，Ａ２０の見込幅内に略収まっている。
そして、室外側カバー部材４０の左右端部位置と室内側カバー部材３０の左右端部位置は、窓枠Ａ１０，Ａ２０の見込壁の位置と略一致している。
【００２６】
窓枠Ａ１０，Ａ２０の室外側壁と室外側カバー部材４０の外壁面部４０ａとの間には、バックアップ材８１及びシール材８２が配置されており、室外側カバー部材４０の見込壁４０ｃと窓枠Ａ１０，Ａ２０に取り付けられた取付補助材６０の見込壁６０ａとの間にロックウールやＡＥＳ（アルカリアースシリケート）等からなる不燃材８３が配置されている。
【００２７】
このとき、室外側カバー部材４０の外壁面部４０ａの室内側面に設けられたリブ４０ｄが、バックアップ材８１の受けとして機能すると共に、不燃材８３の保持部として機能している。
【００２８】
−第２の実施形態−
図４を用いて、第２の実施形態の連結材を説明する。
本実施形態の連結材は、左右の防火設備Ａ２，Ａ３をコーナー部（出隅部）において略直角に連結する連結材Ｂ２として構成されている。なお、コーナー部における連結角度は、直角に限るものではない。
【００２９】
連結材Ｂ２は、躯体開口部に固定され左右に配置される防火設備Ａ２，Ａ３の窓枠Ａ２０，Ａ３０を支持する支持鋼材１０と、支持鋼材１０の室外側に設けられるロックウール部２０２を有する防火部材２０と、連結される窓枠Ａ２０，Ａ３０間を室内側から覆う室内側カバー部材３０と、連結される窓枠Ａ２０，Ａ３０間を室外側から覆う室外側カバー部材４０と、を備えている。
【００３０】
支持鋼材１０は、断面矩形状の長尺部材であり、矩形を形成する各辺を窓枠Ａ２０，Ａ３０の見付方向もしくは見込み方向と一致させた状態で躯体開口部に配置され、上端及び下端を躯体開口部に埋設されたアンカー部材５に溶接等することで躯体開口部に固定されている。
【００３１】
支持鋼材１０は、一方の窓枠Ａ２０の外周側見込面と対向する右室内側壁面１０ａ及び他方の窓枠Ａ３０の外周側見込面と対向する左室内側壁面１０ｂに窓枠取付片１０１，１０１が固定され、右室内側壁面１０ａの室外側端部に連続し一方の窓枠Ａ２０の見付方向外周側に延びる右室外側壁面１０ｃ及び左室内側壁面１０ｂの室外側端部に連続し他方の窓枠Ａ３０の見付方向外周側に延びる左室外側壁面１０ｄに左右の防火部材取付片１０４，１０４が固定されている。
【００３２】
窓枠取付片１０１，１０１は、支持鋼材１０に溶接等によって固定される取付壁１０１ａと、取付壁１０１ａの室外側端から内周側（連結材からみると、外周側）に屈曲してなる支持壁１０１ｂを有する断面略Ｌ字状の長尺部材であり、取付壁１０１ａが支持鋼材１０の右室内側壁面１０ａもしくは左室内側壁面１０ｂに当接した状態で固定されている。
【００３３】
支持鋼材１０に支持される窓枠Ａ２０，Ａ３０は、支持鋼材１０に対向する見込壁６０ａを有する取付補助材６０がビス等の固定手段ｂによって外周側面に固定されている。
そして、支持鋼材１０は、窓枠取付片１０１の支持壁１０１ｂと、取付補助材６０の見込壁６０ａをアングル部材７０によって連結することで、窓枠Ａ２０，Ａ３０を支持している。
【００３４】
支持鋼材１０に支持された窓枠Ａ２０，Ａ３０の室内側に、内カバー取付材１０５がビス等の固定手段により固定されている。
内カバー取付材１０５は、窓枠Ａ２０，Ａ３０に固定される固定部１０５ａと、固定部１０５ａの室内側面に突出する係止部１０５ｂを有する長尺部材であり、固定部１０５ａの左右端部近傍が窓枠Ａ２０，Ａ３０の室内側外周端部に当接した状態で固定されている。
【００３５】
室内側カバー部材３０は、室内壁部３０ａと、室内壁部３０ａの室外側に突設された係止片３０ｃを有する長尺部材であり、係止片３０ｃを内カバー取付材１０５の係止部１０５ｂに係止することで、窓枠Ａ２０，Ａ３０間の室内側を覆うように取り付けられる。
【００３６】
防火部材取付片１０４，１０４は、取付壁１０４ａと、取付壁１０４ａの内周側端（連結材からみると、外周側端）が室外側に屈曲してなる支持壁１０４ｂを有する断面略Ｌ字状の長尺部材であり、取付壁１０４ａの室内側面が支持鋼材１０の右室外側壁面１０ｃもしくは左室外側壁面１０ｄに当接した状態で固定されている。
【００３７】
防火部材２０は、裏打ちパネル２０１と、ロックウール部２０２を有している。
裏打ちパネル２０１は、左右に配置された左、右外側壁が略直角に連続して形成された室外側壁２０１ａと室外側壁２０１ａの左右両側が室内側に屈曲してなる左右の見込壁２０１ｂ，２０１ｂを有する長尺部材からなり、裏打ちパネル２０１の内周にロックウールを充填することなどによってロックウール部２０２が設けられている。
【００３８】
室外側カバー部材４０は、左右に配置された左、右外壁面部が略直角に連続して形成された外壁面部４０ａと、左、右外壁面部の室内側面からそれぞれ室内側に延設される左右の脚部４０ｂ，４０ｂと、左、右外壁面部の室内側面の左右の脚部４０ｂ，４０ｂが延設されている位置からさらに内周側（連結材からみると、外周側）の位置から室内側に延設される左右の見込壁４０ｃ，４０ｃと、左、右外壁面部の室内側面の左右の見込壁４０ｃ，４０ｃが延設されている位置からさらに内周側（連結材からみると、外周側）の位置から室内側に延設される左右のリブ４０ｄ，４０ｄを有する長尺部材からなる。
【００３９】
そして、支持鋼材１０は、防火部材取付片１０４，１０４の支持壁１０４ｂ，１０４ｂに、裏打ちパネル２０１の左右の見込壁２０１ｂ，２０１ｂ及び室外側カバー部材４０の左右の見込壁４０ｃ，４０ｃをビス等の固定手段ｂにより固定することで、支持鋼材１０の室外側に防火部材２０及び室外側カバー部材４０を支持している。
【００４０】
窓枠Ａ２０，Ａ３０を支持する支持鋼材１０に、防火部材２０が支持された状態では、ロックウール部２０２は、左右の窓枠Ａ１０，Ａ２０の見込幅内に略収まっており、左右の窓枠Ａ２０，Ａ３０間の室外側を覆うように室外側カバー部材４０が配置されている。
【００４１】
そして、室外側カバー部材４０の左右端部位置と室内側カバー部材３０の左右端部位置は、窓枠Ａ２０及び窓枠Ａ２０の見込壁の位置と略一致している。
さらに、窓枠Ａ２０，Ａ３０の室外側壁と室外側カバー部材４０の外壁面部４０ａとの間には、バックアップ材８１及びシール材８２が配置されており、室外側カバー部材４０の見込壁４０ｃと窓枠Ａ２０，Ａ３０に取り付けられた取付補助材６０の見込壁６０ａとの間にロックウールやＡＥＳ（アルカリアースシリケート）等からなる不燃材８３が配置されている。
【００４２】
このとき、室外側カバー部材４０の外壁面部４０ａの室内側面に設けられたリブ４０ｄが、バックアップ材８１の受けとして機能すると共に、不燃材８３の保持部としての機能している。
【００４３】
−第３の実施形態−
図５を用いて、第３の実施形態の連結材を説明する。
本実施形態の連結材は、左右の防火設備Ａ３，Ａ４をコーナー部（入隅部）において略直角に連結する連結材Ｂ３として構成されている。なお、コーナー部における連結角度は、直角に限るものではない。
【００４４】
連結材Ｂ３は、躯体開口部に固定され右側に配置される防火設備Ａ３の窓枠Ａ３０を支持すする支持鋼材１１と、躯体開口部に固定され左側に配置される防火設備Ａ４の窓枠Ａ４０を支持する支持鋼材１２と、支持鋼材１１，１２の室外側に配置されるロックウール部２０２を有する防火部材２０と、連結される窓枠Ａ３０，Ａ４０間を室内側から覆う室内側カバー部材３０と、連結される窓枠Ａ３０，Ａ４０間を室外側から覆う室外側カバー部材４０と、を備えている。
【００４５】
本実施形態の連結材Ｂ３の２つの支持鋼材１１，１２は、それぞれ断面矩形状の長尺部材であり、支持鋼材１１，１２の断面矩形を構成する辺が、それぞれが支持する窓枠Ａ３０，Ａ４０の見付方向もしくは見込み方向に一致するようにコーナー部において間隔をあけて配置され、それぞれ上端及び下端が躯体開口部に埋設されたアンカー部材５に固定されている。
なお、本実施形態の支持鋼材１１，１２は、一辺の長さが窓枠Ａ３０，Ａ４０の見込み方向寸法の略半分の寸法の略正方形の断面形状を有している。
【００４６】
支持鋼材１１，１２は、それぞれ窓枠Ａ３０，Ａ４０の外周側見込面と対向する見込壁面１１ａ，１２ａに窓枠取付片１０１，１０１が固定され、室外側の見付壁面１１ｂ，１２ｂに防火部材取付片１０４，１０４が固定されている。
【００４７】
窓枠取付片１０１は、見込み方向に延びる取付壁１０１ａと，取付壁１０１ａの室外側端から内周側（連結材からみると、外周側）に屈曲してなる支持壁１０１ｂを有する断面略Ｌ字状の長尺部材であり、取付壁１０１ａが支持鋼材１１，１２の見込壁面１１ａ，１２ａに当接した状態で固定されている。
【００４８】
支持鋼材１１，１２に支持される窓枠Ａ３０，Ａ４０は、見込壁６０ａを有する取付補助材６０が外周側面に固定されている。
そして、支持鋼材１１，１２は、支持鋼材１１，１２の見込壁面１１ａ，１２ａに固定された窓枠取付片１０１，１０１の支持壁１０１ｂ，１０１ｂと、取付補助材６０の見込壁６０ａをアングル部材７０によって連結することで、窓枠Ａ３０，Ａ４０を支持している。
【００４９】
支持鋼材１１，１２に支持された窓枠Ａ３０，Ａ４０の室内側に、断面略Ｌ字状の内カバー取付片１０６ａ，１０６ｂが固定されている。
右側に配置される内カバー取付片１０６ａは、窓枠Ａ３０の室内側面に当接する見付壁部と見付壁部の内周側から室内側に延びる見込壁部とからなり、見込壁部の位置が窓枠Ａ３０の外周面の見付け方向の位置とほぼ一致した状態で室内側に延びるように取り付けられ、左側に配置される内カバー取付片１０６ｂは、窓枠Ａ４０の室内側面に当接するとともに外周側に延びる見付壁部と見付壁部の外周側端から室内側に延びる見込壁部とからなり、見込壁部が窓枠Ａ４０の外周側の位置で室内方向に延びるように取り付けられている。
【００５０】
室内側カバー部材３０は、左右に配置された左、右内壁部が略直角に連続して形成された室内壁部３０ａと、室内壁部３０ａの見付方向両端部が室外側に屈曲して突設された見込壁３０ｂ，３０ｂを有する長尺部材であり、見込壁３０ｂ，３０ｂが内カバー取付片１０６ａ，１０６ｂの見込壁部にボルト等の固定手段によって固定されることで、窓枠Ａ３０と窓枠Ａ４０の室内側の間を覆うように取り付けられている。
【００５１】
防火部材取付片１０４，１０４は、見付け方向に延びる取付壁１０４ａと、取付壁１０４ａの内周側（連結材からみると、外周側）端が室外側に屈曲してなる支持壁１０４ｂを有する断面略Ｌ字状の長尺部材であり、取付壁１０４ａの室内側面が支持鋼材１１，１２の見付壁面１１ｂ，１２ｂに当接した状態で固定されている。
【００５２】
防火部材２０は、裏打ちパネル２０１と、ロックウール部２０２を有している。
裏打ちパネル２０１は、左右に配置された左、右内壁部が略直角に連続して形成された室外側壁２０１ａと、室外側壁２０１ａの左右両側が室内側に屈曲してなる左右の見込壁２０１ｂ，２０１ｂを有する長尺部材からなり、裏打ちパネル２０１の内周（室内側）にロックウールを充填することなどによってロックウール部２０２が設けられている。
【００５３】
室外側カバー部材４０は、左右に配置された左、右外壁面部が略直角に連続して形成された外壁面部４０ａと、外壁面部４０ａの左、右外壁面部の室内側面から室内側に延設され、裏打ちパネル２０１の室外側面に当接する脚部４０ｂ，４０ｂと、脚部４０ｂ，４０ｂよりも内周側（連結材から見ると外周側）の位置において左、右外壁面部の室内側面から室内側に延設された見込壁４０ｃ，４０ｃと、見込壁４０ｃ，４０ｃよりもさらに内周側（連結材から見ると外周側）の位置において左、右外壁部の室内側面から室内側に延設されたリブ４０ｄ，４０ｄを有する長尺部材からなる。
【００５４】
そして、支持鋼材１１，１２は、防火部材取付片１０４，１０４の支持壁１０４ｂ，１０４ｂに、裏打ちパネル２０１の左右の見込壁２０１ｂ，２０１ｂ及び室外側カバー部材４０の左右の見込壁４０ｃ，４０ｃをビス等の固定手段により固定することで、支持鋼材１０の室外側に防火部材２０及び室外側カバー部材４０を支持している。
【００５５】
窓枠Ａ３０，Ａ４０を支持する支持鋼材１１，１２に、防火部材２０が支持された状態で、防火部材２０のロックウール部２０２は、窓枠Ａ３０及び窓枠Ａ４０の見込幅内に略収まっており、左右の窓枠Ａ３０，Ａ４０間の室外側を覆うように室外側カバー部材４０が配置されている。
【００５６】
そして、室外側カバー部材４０の左右端部位置と室内側カバー部材３０の左右端部位置は、窓枠Ａ３０及び窓枠Ａ４０の見込壁の位置と略一致している。
さらに、窓枠Ａ３０及び窓枠Ａ４０の室外側壁と室外側カバー部材４０の外壁面部４０ａとの間には、バックアップ材８１及びシール材８２が配置されており、室外側カバー部材４０の見込壁４０ｃと窓枠Ａ３０，Ａ４０に取り付けられた取付補助材６０の見込壁６０ａとの間、即ちロックウール部２０２と窓枠Ａ３０，Ａ４０との間には、ロックウールやＡＥＳ（アルカリアースシリケート）等からなる不燃材８３が配置されている。
【００５７】
このとき、室外側カバー部材４０の外壁面部４０ａの室内側面に設けられたリブ４０ｄが、バックアップ材８１の受けとして機能すると共に、不燃材８３の保持部としての機能している。
【００５８】
以上のように、第１ないし第３の実施形態の連結材は、支持鋼材１０の室外側に防火部材２０及び不燃材８３を配置して、左右の防火設備Ａの間をロックウール部２０２及び不燃材８３によって塞ぐことができ、防火設備Ａによって得られる防火性能を損なうことなく、高い防火性能を有する外壁（非耐力壁）を構成することができる。
【００５９】
そして、ロックウール部２０２は、連結材により連結される窓枠の見込幅内に略収まるように配置されているので、ロックウール部２０２の上下端部を、躯体開口部の上窓枠及び下窓枠を配置する内周面内に納めることができ、ロックウール部２０２の上下端部が水切り等の傾斜面に対向せずに安定した配置を行うことができる。
【００６０】
−第４の実施形態−
図６を参考にして、第４の実施形態の連結材を説明する。
本実施形態の連結材は、左右の防火設備Ａ１及び防火設備Ａ２を面一に連結する連結材Ｂ１として構成されている。
なお、本実施形態の連結材は、室外側カバー部材がロックウール部２０２を有している点で、第１の実施形態と主に異なっている。
【００６１】
連結材Ｂ１は、躯体開口部に固定され左右に配置される防火設備の窓枠Ａ１０，Ａ２０を支持する支持鋼材１０と、支持鋼材１０の室外側に設けられ連結される窓枠Ａ１０，Ａ２０間を室内側から覆う室外側カバー部材（化粧材）５０と、連結される窓枠Ａ１０，Ａ２０間を室内側から覆う室内側カバー部材３０と、を備えている。
【００６２】
支持鋼材１０は、断面矩形状の長尺部材であり、矩形を形成する各辺を窓枠Ａ１０及び窓枠Ａ２０の見付方向及び見込み方向と一致させた状態で躯体開口部に配置され、上端及び下端を躯体開口部に埋設されたアンカー部材５に溶接等することで躯体開口部に固定されている。
【００６３】
支持鋼材１０は、左右両側面に窓枠取付材１０７が溶接等によって固定されている。窓枠取付材１０７は、棒状鋼材１０７ａと、棒状鋼材１０７ａに溶接等によって固定されているアンカー部１０７ｂとを有し、棒状鋼材１０７ａが支持鋼材１０の窓枠Ａ１０，Ａ２０の外周面と対向する見込壁面に溶接等によって固定されることで、アンカー部１０７ｂが窓枠Ａ１０，Ａ２０の外周面に向くように取付られている。
そして、支持鋼材１０は、支持鋼材１０の左右側面に固定された窓枠取付材１０７のアンカー部１０７ｂに窓枠Ａ１０，Ａ２０の外周部を係合することによって、窓枠Ａ１０，Ａ２０を支持している。
【００６４】
支持鋼材１０に支持された窓枠Ａ２０，Ａ３０の室内側に、内カバー取付材１０５がビス等の固定手段ｂにより固定されている。
内カバー取付材１０５は、窓枠Ａ１０，Ａ２０に固定される固定部１０５ａと、室内側カバー部材３０を係止する係止部１０５ｂを有する長尺部材もしくはピース状の部材であり、固定部１０５ａの室外側面が窓枠Ａ２０，Ａ３０の室内側外周端部及び支持鋼材１０に当接した状態で固定されている。
【００６５】
室内側カバー部材３０は、室内壁部３０ａと、室内壁部３０ａの左右端部が室外側に屈曲されて形成された係止片３０ｃを有する長尺部材であり、係止片３０ｃを内カバー取付材１０５の係止部１０５ｂに係止することで、窓枠Ａ２０，Ａ３０間の室内側を覆うように取り付けられる。
【００６６】
支持鋼材１０は、左右両側面に室外側カバー部材取付材１０８が固定されている。
室外側カバー部材取付材１０８は、板状部材からなり、支持鋼材１０の左右両側面に室外側カバー部材取付材１０８が固定されることで、支持鋼材１０の室外側に室外側カバー部材（化粧材）５０を保持する保持部が形成される。
【００６７】
室外側カバー部材５０は、外壁面部５０１ａと、外壁面部５０１ａの内周面から室内側に延設される左右の見込壁５０１ｃ，５０１ｃと、外壁面部５０１ａの室内側面の左右の見込壁５０１ｃ，５０１ｃが延設されている位置からさらに内周側（連結材からみると、外周側）位置から室内側に延設される左右のリブ５０１ｄ，５０１ｄを有している。さらに、室外側カバー部材５０１は、左右の見込壁５０１ｃ，５０１ｃ間であって、見込み方向で窓枠Ａ１０，Ａ２０の室外側壁面の位置に、左右の見込壁５０１ｃ，５０１ｃを連結する内壁部５０１ｅが設けられており、外壁面部５０１ａの室内側に中空部を形成している。
【００６８】
室外側カバー部材５０の左右の見込壁５０１ｃ，５０１ｃの間であって、内壁部５０１ｅよりも室内側には、ロックウール等が充填され、ロックウール部５０２が形成されている。
そして、支持鋼材１０は、左右の室外側カバー部材取付材１０８によって形成された保持部に、室外側カバー部材５０の見込壁５０１ｃ、５０１ｃを挿入して固定することで、支持鋼材１０の室外側に室外側カバー部材５０を支持している。
【００６９】
左右に窓枠Ａ１０，Ａ２０を支持する支持鋼材１０に、室外側カバー部材５０が固定された状態で、室外側カバー部材５０の外壁面部５０１ａは、室外側に大きく突出することなく、内壁部５０１ｅの室内側に形成されたロックウール部５０２は、左右の窓枠Ａ１０，Ａ２０の見込幅内に略収まっている。
【００７０】
そして、室外側カバー部材５０の左右端部位置と室内側カバー部材３０の左右端部位置は、左右に窓枠Ａ１０，Ａ２０の見込壁の位置と略一致しており、窓枠Ａ１０，Ａ２０の室外側壁と室外側カバー部材５０の外壁面部５０１ａとの間には、バックアップ材８１とシール材８２が配置されている。
【００７１】
さらに、本実施形態においては、左右の窓枠Ａ１０，Ａ２０と室外側カバー部材５０及び支持鋼材１０との間に、必要に応じて、ロックウール５０３が充填されている。
【００７２】
このとき、室外側カバー部材５０の外壁面部５０１ａの室内側面に設けられたリブ５０１ｄがバックアップ材８１の受けとして機能すると共に、バックアップ材８１が、ロックウール５０３の受けとして機能している。
【００７３】
−第５の実施形態−
図７を用いて、第５の実施形態の連結材を説明する。
本実施形態の連結材は、左右の防火設備Ａ２，Ａ３をコーナー部（出隅部）において略直角に連結する連結材Ｂ２として構成されている。なお、コーナー部における連結角度は、直角に限るものではない。
なお、本実施形態の連結材は、室外側カバー部材がロックウール部２０２を有している点で、第２の実施形態と主に異なっている。
【００７４】
連結材Ｂ２は、躯体開口部に固定され左右に配置される防火設備Ａ２，Ａ３の窓枠Ａ２０，Ａ３０を支持する支持鋼材１０と、支持鋼材１０の室外側に設けられ連結される窓枠Ａ２０，Ａ３０間を室内側から覆う室外側カバー部材（化粧材）５０と、連結される窓枠Ａ２０，Ａ３０間を室内側から覆う室内側カバー部材３０と、を備えている。
【００７５】
支持鋼材１０は、断面矩形状の長尺部材であり、矩形を形成する各辺を窓枠Ａ２０，Ａ３０の見付方向もしくは見込み方向と一致させた状態で躯体開口部に配置され、上端及び下端を躯体開口部に埋設されたアンカー部材５に溶接等することで躯体開口部に固定されている。
【００７６】
支持鋼材１０は、一方の窓枠Ａ２０の外周側見込面と対向する右室内側壁面１０ａ及び他方の窓枠Ａ３０の外周側見込面と対向する左室内側壁面１０ｂに窓枠取付材１０７が溶接等によって固定されている。
窓枠取付材１０７は、棒状鋼材１０７ａと、棒状鋼材１０７ａに溶接等によって固定されているアンカー部１０７ｂとを有し、棒状鋼材１０７ａが支持鋼材１０の右室内側壁面１０ａ及び左室内側壁面１０ｂに溶接等によって固定されることで、アンカー部１０７ｂが窓枠Ａ２０，Ａ３０の外周面に向くように配置されている。
そして、支持鋼材１０は、支持鋼材１０の左右側面に固定された窓枠取付材１０７のアンカー部１０７ｂに窓枠Ａ２０，Ａ３０の外周部を係合することによって、窓枠Ａ２０，Ａ３０を支持している。
【００７７】
支持鋼材１０に支持された窓枠Ａ２０と窓枠Ａ３０の室内側に、内カバー取付材１０５がビス等の固定手段により固定されている。
内カバー取付材１０５は、窓枠Ａ２０，Ａ３０に固定される固定部１０５ａと、室内側カバー部材３０を係止する係止部１０５ｂを有する長尺部材であり、固定部１０５ａの左右端部近傍が窓枠Ａ２０，Ａ３０の室内側外周端部に当接した状態で固定されている。
【００７８】
室内側カバー部材３０は、室内壁部３０ａと、室内壁部３０ａの室外側に突設された係止片３０ｃを有する長尺部材であり、係止片３０ｃを内カバー取付材１０５の係止部１０５ｂに係止することで、窓枠Ａ２０，Ａ３０間の室内側を覆うように取り付けられる。
【００７９】
支持鋼材１０は、右室内側壁面１０ａ及び左室内側壁面１０ｂに室外側カバー部材取付材１０８が溶接等によって固定されている。
室外側カバー部材取付材１０８は、板状部材からなり、支持鋼材１０の右室内側壁面１０ａ及び左室内側壁面１０ｂに室外側カバー部材取付材１０８が固定されることで、支持鋼材１０の室外側に室外側カバー部材５０を保持する保持部が形成されている。
【００８０】
室外側カバー部材５０は、左右に配置された左、右外壁面部が略直角に連続して形成された外壁面部５０１ａと、外壁面部５０１ａの室内側面から室内方向に延設される左右の見込壁５０１ｃ，５０１ｃと、外壁面部５０１ａの室内側面の左右の見込壁５０１ｃ，５０１ｃが延設されている位置からさらに内周側（連結材からみると、外周側）位置から室内側に延設される左右のリブ５０１ｄ，５０１ｄを有している。
さらに、室外側カバー部材５０は、左右の見込壁５０１ｃ，５０１ｃ間であって、見込み方向で窓枠Ａ１０，Ａ２０の室外側壁面の位置に、左右の見込壁５０１ｃ，５０１ｃを連結する断面略Ｌ字状の内壁部５０１ｅが設けられている。
【００８１】
室外側カバー部材５０の左右の見込壁５０１ｃ，５０１ｃの間であって、内壁部５０１ｅよりも室内側には、ロックウールが略Ｌ字状に充填されてロックウール部５０２が形成されている。
そして、支持鋼材１０は、左右の室外側カバー部材取付材１０８によって形成された保持部に、室外側カバー部材５０の見込壁５０１ｃ、５０１ｃを固定することで、支持鋼材１０の室外側に室外側カバー部材５０を支持している。
【００８２】
左右に窓枠Ａ２０，Ａ３０を支持する支持鋼材１０に、室外側カバー部材５０が固定された状態で、室外側カバー部材５０の外壁面部５０１ａは、室外側に大きく突出することなく、内壁部５０１ｅの室内側に形成されたロックウール部５０２は、左右の窓枠Ａ２０，Ａ３０の見込幅内に略収まっている。
【００８３】
そして、室外側カバー部材５０の左右端部位置と室内側カバー部材３０の左右端部位置は、左右に窓枠Ａ２０，Ａ３０の見込壁の位置と略一致しており、左右に窓枠Ａ２０，Ａ３０の室外側壁と室外側カバー部材５０の外壁面部５０１ａとの間には、バックアップ材８１とシール材８２が配置されている。また、左右の窓枠Ａ２０，Ａ３０と室外側カバー部材５０及び支持鋼材１０との間には、必要に応じて、ロックウール５０３が充填されている。
【００８４】
このとき、室外側カバー部材５０の外壁面部５０１ａの室内側面に設けられたリブ５０１ｄがバックアップ材８１の受けとして機能すると共に、バックアップ材８１が、ロックウール５０３の受けとして機能している。
【００８５】
以上のように、第４及び第５の実施形態の連結材は、支持鋼材１０の室外側にロックウール部５０２が形成された室外側カバー部材５０を配置することによって、さらに、室外側カバー部材５０及び支持鋼材１０と左右の窓枠との間にロックウールが充填されることによって、左右の防火サッシの間を耐火材料によって塞ぐことができ、防火サッシによって得られる防火性能を維持する外壁（非耐力壁）を構成することができる。
【００８６】
そして、ロックウール部５０２は、支持鋼材１０の側方に支持される窓枠の見込幅内にほぼ収まるように配置されているので、ロックウール部５０２の上下端部を、躯体開口部の上窓枠及び下窓枠を配置する内周面内にほぼ収めることができ、ロックウール部５０２の上下端部が水切り等の傾斜面にあまり対向せずに安定した配置を行うことができる。
さらに、化粧材である室外側カバー部材５０が耐火部材を兼用しているので、施工工程を増加することなく防火性能を付与することができる。
【００８７】
なお、以上の実施形態は，請求項に記載された発明を限定するものではなく，例示として取り扱われることは言うまでもない。
例えば、支持鋼材１０に固定される窓枠取付片１０１やアングル部材７０等の各取付部材は、長尺部材に限定されるものではなく、複数のピース部材によって形成してもよい。また、各取付部材の固定は、溶接やビス止め等の公知の手段によって行うことができる。
また、室外側カバー部材４０，５０と窓枠の室外側面との間のシール材は、パッキン等の乾式のシール材でもよい。
さらに、防火設備は、引違いの防火サッシに限定されるものではなく、開き建具やすべり出し建具等、防火設備の種類は何ら限定されるものではない。
【符号の説明】
【００８８】
１０〜１２        ：支持鋼材
２０２，５０２    ：ロックウール部
３０              ：室内側カバー部材
４０，５０        ：室外側カバー部材（化粧材）
Ａ１０〜Ａ４０    ：窓枠
【図１】
2020045640.tif 000003
【図２】
2020045640.tif 000004
【図３】
2020045640.tif 000005
【図４】
2020045640.tif 000006
【図５】
2020045640.tif 000007
【図６】
2020045640.tif 000008
【図７】
2020045640.tif 000009